(57)【要約】【課題】異なる２つの表示領域に表示される情報の表示向きを一致させること。【解決手段】表示制御部１０３ｂは、液晶モニタ１０４に表示する本画像の向きを判定し、姿勢センサ１０２からの出力に基づいて画像表示装置１００の姿勢を検出する。そして、本画像の向きおよび画像表示装置１００の姿勢に基づいて、液晶モニタ１０４に表示する本画像の表示向き、および液晶モニタ１０５に表示する本画像とは異なる情報の表示向きを決定する。そして、決定した表示方向に基づいて液晶モニタ１０４に本画像を表示し、液晶モニタ１０５に本画像とは異なる情報を表示する。【選択図】図１
2007280029.tif 000002
【特許請求の範囲】
【請求項１】
本画像を表示する第１の表示領域と、前記本画像とは異なる情報を表示する第２の表示領域とを有する画像表示装置であって、
前記第１の表示領域に表示する前記本画像の向きを前記本画像が有する画像の向きに関する情報に基づいて決定し、前記第２の表示領域に表示する情報の向きを前記本画像の向きに合わせるように決定する表示制御手段を備えることを特徴とする画像表示装置。
【請求項２】
請求項１に記載の画像表示装置において、
前記第２の表示領域に表示される情報は、前記本画像に関連する情報であることを特徴とする画像表示装置。
【請求項３】
請求項２に記載の画像表示装置において、
前記本画像に関連する情報は、前記本画像の縮小画像であることを特徴とする画像表示装置。
【請求項４】
請求項２に記載の画像表示装置において、
前記本画像に関連する情報は、前記本画像の撮影条件に関する情報であることを特徴とする画像表示装置。
【請求項５】
請求項１に記載の画像表示装置において、
前記第２の表示領域に表示される情報は、当該画像表示装置の操作に関連する情報であることを特徴とする画像表示装置。
【請求項６】
請求項１に記載の画像表示装置において、
前記第１および第２の表示領域は、それぞれ重ならない分離した領域であることを特徴とする画像表示装置。
【請求項７】
請求項１に記載の画像表示装置において、
前記第１および第２の表示領域は、互いに重なる領域であることを特徴とする画像表示装置。
【請求項８】
請求項１に記載の画像表示装置において、
当該画像表示装置の姿勢を検出する姿勢検出手段をさらに備え、
前記表示制御手段は、前記姿勢検出手段による検出結果に基づいて、前記第１の表示領域に表示する前記本画像の向き、および前記第２の表示領域に表示する情報の向きの少なくともいずれか一方を決定することを特徴とする画像表示装置。
【請求項９】
請求項１に記載の画像表示装置において、
前記表示制御手段は、前記本画像が画像の向きに関する情報を有していない場合には、前記本画像の向きを予め定めた向きに決定することを特徴とする画像表示装置。
【発明の詳細な説明】
【技術分野】
【０００１】
本発明は、画像を表示する画像表示装置に関する。
【背景技術】
【０００２】
次のような電子アルバムが特許文献１によって知られている。この電子アルバムでは、画像データ内に含まれる情報に基づいて、画像が縦構図で撮影されたか横構図で撮影されたかを判定して画像の向きを判定する。そして判定した画像の向きに応じて台紙に貼り付ける画像の向きを変化させる。
【０００３】
【特許文献１】特開２０００−２５３２２８号公報
【発明の開示】
【発明が解決しようとする課題】
【０００４】
しかしながら、従来の電子アルバムにおいては、画像と同時に台紙上に表示される他の情報の向きを画像の向きと連動させていないため、画像の向きと台紙上に表示される他の情報の向きが一致しない場合がある。
【課題を解決するための手段】
【０００５】
本発明は、本画像を表示する第１の表示領域と、本画像とは異なる情報を表示する第２の表示領域とを有する画像表示装置であって、第１の表示領域に表示する本画像の向きを本画像が有する画像の向きに関する情報に基づいて決定し、第２の表示領域に表示する情報の向きを本画像の向きに合わせるように決定することを特徴とする。
このとき、第２の表示領域に表示される情報は、本画像に関連する情報であることが好ましく、本画像に関連する情報は、本画像の縮小画像や本画像の撮影条件に関する情報であることが好ましい。この他、第２の表示領域に表示される情報は、当該画像表示装置の操作に関連する情報であってもよい。そして、第１および第２の表示領域は、それぞれ重ならない分離した領域であってもよく、互いに重なる領域であってもよい。
さらに、画像表示装置の姿勢を検出し、姿勢の検出結果に基づいて第１の表示領域に表示する本画像の向き、および第２の表示領域に表示する情報の向きの少なくともいずれか一方を決定することが好ましい。
また、本画像が画像の向きに関する情報を有していない場合には、本画像の向きを予め定めた向きに決定するようにしてもよい。
【発明の効果】
【０００６】
本発明によれば、第１の表示領域の本画像の向きと、第２の表示領域の本画像とは異なる情報の向きとを一致させて表示することができる。
【発明を実施するための最良の形態】
【０００７】
図１は、本実施の形態における画像表示装置の一実施の形態の構成を示すブロック図である。画像表示装置１００は、メモリカードスロット１０１と、姿勢センサ１０２と、制御装置１０３と、液晶モニタ１０４および１０５と、メモリ１０６とを備えている。
【０００８】
メモリカードスロット１０１は、デジタルカメラなどから画像ファイルを取り込むためのインターフェース部であり、画像ファイルが記録されたメモリカードから画像ファイルを読み込んで制御装置１０３へ出力する。メモリカードスロット１０１を介して読み込まれる画像ファイルは、例えばＥｘｉｆ形式の画像ファイルであり、画像データを記録する画像データ部と画像データに関連する情報を記録する付加情報部とで構成されている。
【０００９】
画像ファイルに含まれる画像データ部には、デジタルカメラで撮影された後、補間処理等の画像処理が施された後の本画像の画像データが記録される。また付加情報部には、本画像の画像データに関連する情報として、撮影日時に関する情報や撮影条件に関する情報が記録される。なお、本画像の撮影条件に関する情報には、本画像の画像データに基づいてデジタルカメラで生成されたサムネイル画像（縮小画像）の画像データ、および画像撮影時のシャッタースピード、ＩＳＯ感度、絞り値等の情報を含んでいる。また、本画像の撮影に用いたデジタルカメラがカメラの姿勢を検出するための姿勢センサを備えている場合には、当該姿勢センサからの出力に基づいて検出された本画像の向きに関する情報も付加情報部に記録されている。
【００１０】
姿勢センサ１０２は、画像表示装置１００が使用者によってどのような姿勢で把持されているかを検出するためのセンサであり、検出信号は制御装置１０３へ出力される。なお、本実施の形態における画像表示装置１００の姿勢については後述する。
【００１１】
制御装置１０３は、ＣＰＵ、メモリ、およびその他の周辺回路で構成され、画像記録部１０３ａと、表示制御部１０３ｂと、タッチパネルコントローラ１０３ｃとを機能的に備えている。画像記録部１０３ａは、メモリカードスロット１０１を介して読み込んだ画像ファイルをメモリ１０６に記録する。メモリ１０６は、不揮発性の特性を有するフラッシュメモリである。なお、メモリ１０６内に画像ファイルを記録するに当たっては、画像記録部１０３ａは、複数のフォルダに分類して画像ファイルを記録する。
【００１２】
例えば、画像記録部１０３ａは、画像ファイルを読み込んだ日付ごとのフォルダをメモリ１０６内に作成して、読み込み日が同一の画像フォルダを同一フォルダ内に記録する。また、画像ファイル内の付加情報部に記録されている本画像の撮影日時単位にフォルダ分けを行ってもよい。あるいは、使用者が自由にフォルダを作成できるようにし、使用者からの指示に応じて画像ファイルをフォルダ分けして記録するようにしてもよい。
【００１３】
表示制御部１０３ｂは、画像記録部１０３ａによってメモリ１０６に記録された画像ファイル内に含まれる本画像データ、および付加情報部に記録されている本画像データに関連する情報の後述する液晶モニタ１０４および１０５への表示を制御する。なお、表示制御部１０３ｂで実行される処理については後述する。
【００１４】
液晶モニタ１０４および１０５は、それぞれタッチパネル１０４ａおよび１０５ａを備えている。使用者は、指またはタッチペンでタッチパネル１０４ａおよび１０５ａを押圧することによって、画像表示装置１００を操作することができる。使用者によってタッチパネル１０４ａまたは１０５ａが押圧されると、その押圧位置を特定する信号がタッチパネルからタッチパネルコントローラ１０３ｃに出力され、タッチパネルコントローラ１０３ｃは、入力された信号に基づいてタッチパネル上の押圧位置を特定する。制御装置１０３は、タッチパネルコントローラ１０３ｃによって特定された押圧位置に応じた処理を実行する。
【００１５】
なお、液晶モニタ１０４と１０５は、画像表示装置１００に図２に示すように設置されている。すなわち、本実施の形態における画像表示装置１００は、ヒンジ部２ａで折り畳み可能な機構を備えており、ヒンジ部２ａより下側の面に液晶モニタ１０４を、ヒンジ部２ａより上側の面に液晶モニタ１０５をそれぞれ備えている。
【００１６】
また、本実施の形態における画像表示装置１００は、横方向および縦方向のいずれの方向にも把持して使用できる。ここでは、使用者が図２に示すようにヒンジ部２ａが地面に対して水平方向となるように把持した状態を横方向に把持した状態と呼び、このときの画像表示装置１００の姿勢を横位置と定義する。また、使用者が図３に示すようにヒンジ部２ａが地面に対して垂直方向となるように把持した状態を縦方向に把持した状態と呼び、このときの画像表示装置１００の姿勢を縦位置と定義する。
【００１７】
表示制御部１０３ｂは、後述するように、液晶モニタ１０４には本画像２ｂを表示し、液晶モニタ１０５には画像表示装置１００の操作に関する情報や本画像に関連する情報を表示する。ここで、画像表示装置１００の操作に関する情報とは、例えばタッチパネル１０４ａ上の操作位置を表す領域としての操作ボタン（アイコン）であり、本画像に関連する情報とは、付加情報部に記録されている本画像データに関連する情報の中から必要な情報のみをモニタ上に出力したものをいう。
【００１８】
例えば、図２に示す例では、液晶モニタ１０４には本画像２ｂが表示されている。また、液晶モニタ１０５には、画像表示装置１００の操作に関する情報として、メモリ１０６内の画像ファイルが記録されているフォルダを選択するためのフォルダ選択用ボタン２ｃが表示されている。さらに、本画像に関連する情報としては、フォルダ選択用ボタン２ｃで選択されたフォルダ内に記録されている画像ファイルのサムネイル画像２ｄ〜２ｉ、および液晶モニタ１０４に表示されている本画像２ｂのファイル名や撮影日時に関する情報２ｊが表示されている。
【００１９】
この図２に示す例では、使用者は、液晶モニタ１０５に表示されているフォルダ選択用ボタン２ｃの中からいずれかのフォルダに対応する領域を押圧することによって、液晶モニタ１０４に表示する本画像２ｂを含む画像ファイルが記録されているフォルダを選択することができる。そして、使用者は、そのフォルダ内に含まれる画像ファイルのサムネイル画像２ｄ〜２ｉの中から任意の１つを押圧することによって、液晶モニタ１０４に表示する本画像２ｂを含む画像ファイルを選択することができる。
【００２０】
このとき、表示制御部１０３ｂは、以下に説明するような処理を実行して、液晶モニタ１０４および１０５へ表示する情報の向き（表示向き）を決定する。まず、表示制御部１０３ｂは、画像表示装置１００の電源がオンされた場合に、メモリ１０６に記録されている１の画像ファイルを表示対象画像ファイルとして読み込む。このとき、表示制御部１０３ｂは、前回、画像表示装置１００の電源がオフされたときに液晶モニタ１０４に本画像２ｂが表示されていた場合には、その本画像２ｂを含む画像ファイルを表示対象画像ファイルとする。
【００２１】
なお、制御装置１０３は、使用者によって画像表示装置１００の電源がオフされたことを検出した際には、その時に液晶モニタ１０４に表示されている本画像２ｂを含む画像ファイルのファイル名、およびその画像ファイルが記録されているフォルダ名をメモリ１０６に記録しておく。そして、表示制御部１０３ｂは、電源投入時にメモリ１０６に記録されているフォルダ名とファイル名とを読み込んで、表示対象画像ファイルを決定する。
【００２２】
これに対して、前回、画像表示装置１００の電源がオフされたときに液晶モニタ１０４に本画像２ｂが表示されていない場合、すなわちメモリ１０６にフォルダ名とファイル名とが記録されていない場合には、表示制御部１０３ｂは、メモリ１０６内に記録されている複数の画像ファイルのうち、最も新しく取り込まれた画像ファイルを表示対象画像ファイルとして決定する。例えば、画像ファイルが読み込み日ごとのフォルダに分類されて記録されている場合には、最も新しく作成されたフォルダ内の最も新しく読み込まれた画像ファイルを表示対象画像ファイルとして決定する。
【００２３】
表示制御部１０３ｂは、このように決定して読み込んだ表示対象画像ファイルの付加情報部に記録されている本画像の向きに関する情報を抽出して、本画像の向きを判定する。例えば、本画像の向きに関する情報として、本画像撮影時のデジタルカメラの姿勢が横位置であったことを示す情報が記録されている場合には、本画像の向きは横向きであると判定する。すなわち本画像は横長の画像であると判定する。これに対して本画像の向きに関する情報として、本画像撮影時のデジタルカメラの姿勢が縦位置であったことを示す情報が記録されている場合には、本画像の向きは縦向きであると判定する。すなわち本画像は縦長の画像であると判定する。
【００２４】
なお、この表示対象画像ファイルを撮影したデジタルカメラが姿勢センサを備えていない場合には、付加情報部に本画像の向きに関する情報が記録されていないため、本画像の向きは予め定めた向き、例えば横向き（横長）であると判定する。ここで予め定めた向きとは、画像表示装置１００が固定値として保持していてもよく、使用者が適宜変更できるようにしてもよい。
【００２５】
表示制御部１０３ｂは、さらに、姿勢センサ１０２からの出力信号に基づいて、現在の画像表示装置１００の姿勢を検出する。そして、検出した画像表示装置１００の姿勢に基づいてモニタ１０５に表示する画像表示装置１００の操作に関する情報の向き、および本画像に関連する情報の向きを決定する。すなわち、表示制御部１０３ｂは、モニタ１０５に表示する画像表示装置１００の操作に関する情報、および本画像に関連する情報が使用者に対して正立の方向に向くように各情報の表示向きを決定する。
【００２６】
例えば、表示制御部１０３ｂは、画像表示装置１００の姿勢が横位置である場合には、図２に示すように、液晶モニタ１０５上に表示されるフォルダ選択用ボタン２ｃに表示される文字の天地、サムネイル画像２ｄ〜２ｉの天地、および本画像のファイル名や撮影日時に関する情報２ｊを表示する文字の天地が、画像表示装置１００の天地と一致するようにそれぞれの表示向きを決定する。本実施の形態では、この図２に示すような画像表示装置１００の姿勢が横位置である場合に液晶モニタ１０５上に表示される情報の表示向きを横位置用の表示向きと呼ぶ。
【００２７】
また、表示制御部１０３ｂは、画像表示装置１００の姿勢が縦位置である場合には、図３に示すように、液晶モニタ１０５上に表示されるフォルダ選択用ボタン２ｃに表示される文字の天地、サムネイル画像２ｄ〜２ｉの天地、および本画像のファイル名や撮影日時に関する情報２ｊを表示する文字の天地が、画像表示装置１００の天地と一致するようにそれぞれの表示向きを決定する。本実施の形態では、この図３に示すような画像表示装置１００の姿勢が縦位置である場合に液晶モニタ１０５上に表示される情報の表示向きを縦位置用の表示向きと呼ぶ。
【００２８】
そして、表示制御部１０３ｂは、決定した表示向きに従って、各情報を液晶モニタ１０５に表示する。
【００２９】
次に、表示制御部１０３ｂは、上述した処理で判定した本画像の向きと、検出した画像表示装置１００の姿勢とに基づいて、液晶モニタ１０４に表示する本画像の表示向きを決定する。すなわち、表示制御部１０３ｂは、液晶モニタ１０４に表示する本画像の向きが使用者に対して正立の方向に向くように本画像の表示向きを決定する。このために、表示制御部１０３ｂは、液晶モニタ１０４上に表示される本画像の天地が画像表示装置１００の天地と一致するように本画像の表示向きを決定する。
【００３０】
ここで、図２〜図５を用いて画像表示装置１００の姿勢と本画像の向きとに応じた液晶モニタ１０４への本画像の表示例、および上述した液晶モニタ１０５への情報の表示例について説明する。図２は、画像表示装置１００の姿勢が横位置で本画像の向き横向き（横長）である場合の液晶モニタ１０４および１０５の表示例を示す図である。この場合、液晶モニタ１０４には、本画像２ｂの天地と画像表示装置１００の天地とが一致するように、すなわち本画像２ｂの表示向きが使用者に正立するように本画像２ｂが表示されている。本実施の形態では、このような本画像２ｂの表示向きを横位置用の横向きと定義する。
【００３１】
また、液晶モニタ１０５には、上述したように、フォルダ選択用ボタン２ｃに表示される文字、サムネイル画像２ｄ〜２ｉ、および本画像２ｂのファイル名や撮影日時に関する情報２ｊを表示する文字が、横位置用の表示向きとなるように表示されている。これによって、液晶モニタ１０４内に表示する情報の表示向きと、液晶モニタ１０５内に表示する情報の表示向きとを一致させて、いずれの液晶モニタ内の情報も使用者に対して正立する方向となるように表示することができる。
【００３２】
なお、液晶モニタ１０５に表示されるサムネイル画像２ｄ〜２ｉは、各サムネイル画像に対応する本画像が横向き、縦向きのいずれであるかに関わらず、全て正方形の領域内に表示され、各正方形の領域内で対応する本画像の向きに応じた表示向きで表示される。これによって、液晶モニタ１０５に表示される全てのサムネイル画像を使用者に正立する方向に表示することができる。
【００３３】
このために、表示制御部１０３ｃは、現在選択されているフォルダ内の全ての画像ファイルから本画像の向きに関する情報を読み込んで各画像ファイルに含まれる本画像の向きを判定する。そして、判定した本画像の向きに基づいて、サムネイル画像２ｄ〜２ｉの表示向きが使用者に正立する方向になるようにそれぞれのサムネイル画像を液晶モニタ１０５に表示する。以下、図３〜図５に示す例においても、サムネイル画像２ｄ〜２ｉは同様に表示されるものとする。
【００３４】
図３は、画像表示装置１００の姿勢が縦位置、本画像の向き縦向き（縦長）である場合の液晶モニタ１０４および１０５の表示例を示す図である。この場合も図２の場合と同様に、画像表示装置１００の姿勢、および本画像の向きに基づいて、液晶モニタ１０４には本画像２ｂが使用者に正立する方向に表示されている。本実施の形態では、この図３に示す本画像の表示向きを縦位置用の縦向きと定義する。また、液晶モニタ１０５には、上述したように、フォルダ選択用ボタン２ｃに表示される文字、サムネイル画像２ｄ〜２ｉ、および本画像２ｂのファイル名や撮影日時に関する情報２ｊを表示する文字が、縦位置用の表示向きとなるように表示されている。
【００３５】
図４は、画像表示装置１００の姿勢が横位置、本画像の向き縦向き（縦長）である場合の液晶モニタ１０４および１０５の表示例を示す図である。この場合も液晶モニタ１０４には本画像２ｂが使用者に正立する方向に表示されており、この図４に示す本画像の表示向きを横位置用の縦向きと定義する。また、液晶モニタ１０５には、フォルダ選択用ボタン２ｃに表示される文字、サムネイル画像２ｄ〜２ｉ、および本画像２ｂのファイル名や撮影日時に関する情報２ｊを表示する文字が、横位置用の表示向きとなるように表示されている。
【００３６】
図５は、画像表示装置１００の姿勢が縦位置、本画像の向き横向き（横長）である場合の液晶モニタ１０４および１０５の表示例を示す図である。この場合も液晶モニタ１０４には本画像２ｂが使用者に正立する方向に表示されており、この図５に示す本画像の表示向きを縦位置用の横向きと定義する。また、液晶モニタ１０５には、フォルダ選択用ボタン２ｃに表示される文字、サムネイル画像２ｄ〜２ｉ、および本画像２ｂのファイル名や撮影日時に関する情報２ｊを表示する文字が、縦位置用の表示向きとなるように表示されている。
【００３７】
以上、図２〜図５に示したように、画像表示装置１００の姿勢、および本画像２ｂの向きに関わらず、常に液晶モニタ１０５内に表示する情報の表示向きを液晶モニタ１０４内に表示する情報の表示向きに合わせるように表示することができ、いずれの液晶モニタ内の情報も使用者に対して正立方向に表示することができる。これによって、使用者は、液晶モニタ１０４または１０５に表示される情報の表示向きを自分自身に正立させるために画像表示装置１００を回転させたりする必要がなくなり、使用者の利便性が向上する。
【００３８】
表示制御部１０３ｂは、使用者によってフォルダ選択用ボタン２ｃが押圧されて別のフォルダが選択された場合やサムネイル画像２ｄ〜２ｉの中から別のサムネイル画像が選択された場合など、表示対象画像ファイルが変更された場合には、変更後の表示対象画像ファイルを読み込む。そして、読み込んだ表示対象画像ファイルに含まれる本画像の向きと、現在の画像表示装置１００の姿勢とに基づいて、液晶モニタ１０４に表示する本画像の表示向き、および液晶モニタ１０５に表示する画像表示装置１００の操作に関する情報、および本画像に関連する情報の表示向きを変更する。
【００３９】
さらに表示制御部１０３ｂは、姿勢センサ１０２からの出力信号に基づいて画像表示装置１００の姿勢が変化したことを検出した場合には、液晶モニタ１０４および１０５に表示されている情報の表示向きを変化した後の姿勢に応じて変更する。例えば、本画像の向きが横向きである場合に、使用者が画像表示装置１００の姿勢を横位置から縦位置に変化させた場合には、表示制御部１０３ｂは、液晶モニタ１０４および１０５の表示を図２に示す状態から図５に示す状態に変化させる。そして、その後、使用者が画像表示装置１００の姿勢を横位置に戻した場合には、表示制御部１０３ｂは、液晶モニタ１０４および１０５の表示を再度図２に示す状態に戻す。
【００４０】
以上の処理によって、画像表示装置１００の姿勢や表示対象画像ファイルが変化した場合であっても、画像表示装置１００の姿勢、および本画像の向きに応じて、常に液晶モニタ１０４および液晶モニタ１０５に表示する情報の表示向きを画像表示装置１００を把持する使用者に対して成立する方向と一致させることができる。このため、使用者は、本画像の向きが変化したり、画像表示装置１００の姿勢が変化した場合でも、全ての情報を自身に正立する方向で閲覧することができ、使用者の利便性が向上する。
【００４１】
図６は、本実施の形態における画像表示装置１００の処理を示すフローチャートである。図６に示す処理は、使用者によって不図示の電源ボタンが操作されて、画像表示装置１００の電源がオンされると起動するプログラムとして、表示制御部１０３ｂによって実行される。
【００４２】
ステップＳ１０において、表示制御部１０３ｂは、上述したように液晶モニタ１０４に初期表示するための表示対象画像ファイルを決定して、メモリ１０６から読み込む。その後、ステップＳ２０へ進み、表示対象画像ファイルの付加情報部に記録されている本画像の向きに関する情報の抽出を試みて、表示対象画像ファイル内に本画像の向きに関する情報が存在するか否かを判断する。本画像の向きに関する情報が存在しないと判断した場合には、ステップＳ４０へ進み、上述したように、表示対象画像ファイルに含まれる本画像の向きを予め定めた向き、例えば横向きであると判定する。その後、ステップＳ５０へ進む。
【００４３】
これに対して、本画像の向きに関する情報が存在する場合には、ステップＳ３０へ進み、抽出した本画像の向きに関する情報に基づいて、表示対象画像ファイルに含まれる本画像の向きを判定する。その後、ステップＳ５０へ進む。ステップＳ５０では、姿勢センサ２０２からの出力信号に基づいて、画像表示装置１００の姿勢が横位置、縦位置のいずれであるかを判断する。
【００４４】
画像表示装置１００の姿勢が横位置であると判断した場合には、ステップＳ７０へ進む。ステップＳ７０では、モニタ１０５に表示する情報の表示向きを上述した横位置用の表示向きに決定してモニタ１０５上に表示する。その後、ステップＳ８０へ進み、ステップＳ３０またはステップＳ４０で判定した本画像の向きが横向きであるか縦向きであるかを判断する。
【００４５】
本画像の向きが縦向きであると判断した場合にはステップＳ９０へ進み、図４に示したように、本画像をその表示向きが横位置用の縦向きとなるようにモニタ１０４に表示する。これに対して、本画像の向きが横向きであると判断した場合にはステップＳ１００へ進み、図２に示したように、本画像をその表示向きが横位置用の横向きとなるようにモニタ１０４に表示する。その後、後述するステップＳ１５０へ進む。
【００４６】
一方、ステップＳ６０で画像表示装置１００の姿勢が縦位置であると判断した場合には、ステップＳ１１０へ進む。ステップＳ１１０では、モニタ１０５に表示する情報の表示向きを上述した縦位置用の表示向きに決定してモニタ１０５上に表示する。その後、ステップＳ１２０へ進み、ステップＳ３０またはステップＳ４０で判定した本画像の向きが横向きであるか縦向きであるかを判断する。
【００４７】
本画像の向きが横向きであると判断した場合にはステップＳ１３０へ進み、図５に示したように、本画像をその表示向きが縦位置用の横向きとなるようにモニタ１０４に表示する。これに対して、本画像の向きが縦向きであると判断した場合にはステップＳ１４０へ進み、図３に示したように、本画像をその表示向きが縦位置用の縦向きとなるようにモニタ１０４に表示する。その後、ステップＳ１５０へ進む。
【００４８】
ステップＳ１５０では、姿勢センサ１０２からの出力信号に基づいて画像表示装置１００の姿勢が変化したか否かを判断する。画像表示装置１００の姿勢が変化したと判断した場合には、ステップＳ５０へ戻って、変化後の姿勢に基づく処理を実行する。これに対して画像表示装置１００の姿勢が変化していないと判断した場合には、ステップＳ１６０へ進む。
【００４９】
ステップＳ１６０では、使用者によってフォルダ選択用ボタン２ｃが押圧されて別のフォルダが選択されたり、サムネイル画像２ｄ〜２ｉの中から別のサムネイル画像が選択されるなどして、表示対象画像ファイルが変更されたか否かを判断する。表示対象画像ファイルが変更されたと判断した場合には、ステップＳ２０へ戻って、新たに選択された表示対象画像ファイルに基づいて処理を繰り返す。これに対して表示対象画像ファイルが変更されていないと判断した場合には、ステップＳ１７０へ進む。
【００５０】
ステップＳ１７０では、使用者によって不図示の電源ボタンが操作されて、画像表示装置１００の電源がオフされるなどして、液晶モニタ１０４および１０５への情報表示の終了が指示されたか否かを判断する。終了が指示されていないと判断した場合には、ステップＳ１５０へ戻って処理を繰り返す。これに対して終了が指示されたと判断した場合には、処理を終了する。
【００５１】
以上説明した本実施の形態によれば、以下のような作用効果を得ることができる。
（１）液晶モニタ１０５に表示する本画像に関連する情報、および画像表示装置１００の操作に関連する情報の表示向きを、液晶モニタ１０４に表示する本画像の表示向きに合わせるようにした。これによって、異なる２つの液晶モニタに表示される情報の表示向きを一致させて使用者の利便性を向上することができる。
【００５２】
（２）画像表示装置１００の姿勢と本画像の向きに関する情報に基づいて、画像表示装置１００の天地と本画像の天地とが一致するように本画像の表示向きを決定するようにした。これによって、使用者が画像表示装置１００の姿勢が横位置となるように把持している場合、および縦位置となるように把持している場合のいずれの場合であっても、本画像を使用者に対して成立する向きに表示することができる。
【００５３】
（３）本画像が画像の向きに関する情報を有していない場合には、本画像の向きを予め定めた向きに決定するようにした。これによって、本画像を撮影したデジタルカメラが姿勢センサを備えていない場合であっても、本画像の向きを強制的に決定して液晶モニタ１０４および１０５に表示する情報の表示向きを決定することができる。
【００５４】
（４）使用者によって表示対象画像ファイルが変更された場合には、液晶モニタ１０４および液晶モニタ１０５に表示する情報の向きを、変更後の表示対象画像ファイルに含まれる本画像の向きに応じて変更するようにした。また、画像表示装置１００の姿勢が変化したことを検出した場合には、液晶モニタ１０４および１０５に表示されている情報の表示向きを変化した後の姿勢に応じて変更するようにした。これによって、常に液晶モニタ１０４および液晶モニタ１０５に表示する情報の表示向きを画像表示装置１００を把持する使用者に対して成立する方向とすることができる。
【００５５】
（５）液晶モニタ１０５に表示されるサムネイル画像２ｄ〜２ｉは、各サムネイル画像に対応する本画像が横向き、縦向きのいずれであるかに関わらず、全て正方形の領域内に表示するようにし、各正方形の領域内で対応する本画像の向きに応じた表示向きで表示するようにした。これによって、液晶モニタ１０５に表示される全てのサムネイル画像を使用者に正立する方向に表示することができる。
【００５６】
―変形例―
なお、上述した実施の形態の画像表示装置は、以下のように変形することもできる。
（１）上述した本実施の形態では、液晶モニタ１０４と１０５とは、図２〜図５に示したように物理的に独立した２つの液晶モニタであるが、１つの液晶モニタの表示領域内を２つの表示領域に分割して、１つの液晶モニタ内に仮想的に液晶モニタ１０４と１０５に相当する異なる２つの領域を設定するようにしてもよい。
【００５７】
また、１つの液晶モニタ内に液晶モニタ１０４に相当する本画像表示用の領域を設定し、その本画像表示用の領域の一部に重畳するように液晶モニタ１０５に相当する領域を設定するようにしてもよい。この場合、液晶モニタ１０５に相当する領域の背景を透明にすることによって、使用者は２つの領域が重畳している範囲に表示されている本画像も閲覧することができる。さらに、液晶モニタ、または液晶モニタに相当する領域は２つに限定されず、３つ以上であってもよい。
【００５８】
（２）上述した実施の形態では、画像表示装置１００に姿勢センサ１０２を搭載し、姿勢センサ１０２からの出力信号に基づいて検出される画像表示装置１００の姿勢と、本画像の向きとに基づいて液晶モニタ１０４および１０５に表示する情報の表示向きを決定する例について説明した。しかしながら、画像表示装置１００に姿勢センサ１０２を搭載せず、本画像の向きのみに基づいて液晶モニタ１０４および１０５に表示する情報の表示向きを決定するようにしてもよい。この場合、画像表示装置１００の姿勢を加味することができないため、上述した実施の形態における縦位置、または横位置のいずれかの姿勢を画像表示装置１００の通常使用時の姿勢とし、液晶モニタ１０４および１０５に表示する情報の表示向きを当該通常使用時の姿勢に対して横向きとするか縦向きとするかを決定するようにすればよい。
【００５９】
すなわち、表示制御部１０３ｂは、図７のフローチャートに示す処理を実行して液晶モニタ１０４および１０５に表示する情報の表示向きを決定するようにしてもよい。なお、図７においては、上述した実施の形態における図６と同様の処理については同じステップ番号を付与してある。ここでは、図６で上述した処理との相違点を中心に説明する。
【００６０】
ステップＳ２００において、ステップＳ３０またはステップＳ４０で判定した本画像の向きが横向きであるか縦向きであるかを判断する。本画像の向きが横向きであると判断した場合にはステップＳ２１０へ進み、本画像の表示向きが上述した画像表示装置１００の通常使用時の姿勢に対して横向きとなるように液晶モニタ１０４に表示する。その後、ステップＳ２２０へ進み、液晶モニタ１０５に表示する本画像に関連する情報、および画像表示装置１００の操作に関する情報を本画像の表示向きに合わせて横向き表示する。
【００６１】
これに対して、本画像の向きが縦向きであると判断した場合にはステップＳ２３０へ進み、本画像の表示向きが上述した画像表示装置１００の通常使用時の姿勢に対して縦向きとなるように液晶モニタ１０４に表示する。その後、ステップＳ２４０へ進み、液晶モニタ１０５に表示する本画像に関連する情報、および画像表示装置１００の操作に関する情報を本画像の表示向きに合わせて縦向きに表示する。
【００６２】
これによって、画像表示装置１００が横位置、縦位置のいずれか一方での使用を想定した構造となっている場合など、姿勢センサ１０２を備えていない場合であっても、液晶モニタ１０４と液晶モニタ１０５のそれぞれに表示する情報の表示向きを一致させることが可能となる。
【００６３】
（３）上述した実施の形態では、液晶モニタ１０５に表示されるサムネイル画像２ｄ〜２ｉは、各サムネイル画像に対応する本画像が横向き、縦向きのいずれであるかに関わらず、全て正方形の領域内に表示され、各正方形の領域内で対応する本画像の向きに応じた表示向きで表示される例について説明した。しかしながら、サムネイル画像は全て所定の向きに表示するようにしてもよい。そして、フォルダ選択用ボタン２ｃや情報２ｊの中の文字の向きのみ液晶モニタ１０４に表示されている本画像の向きに合わせて表示してもよい。
【００６４】
（４）上述した実施の形態では、液晶モニタ１０４および１０５はそれぞれタッチパネル１０４ａおよび１０５ａを備えており、使用者は、指またはタッチペンでタッチパネル１０４ａおよび１０５ａを押圧することによって、画像表示装置１００を操作する例について説明した。しかしこれに限定されず、画像表示装置１００の本体部に操作用部材、例えば操作ボタンを備えるようにしてもよい。
【００６５】
（５）上述した実施の形態では、画像表示装置１００はヒンジ部２ａで２つ折り可能である例について説明したが、折り畳み機構を備えないものであってもよく、その他の機構、例えば回転機構などを備えるものであってもよい。
【００６６】
（６）上述した実施の形態では、画像表示装置１００の姿勢に基づいて、液晶モニタ１０４および１０５のそれぞれに表示する情報の表示向きを決定する例について説明した。しかしながら、画像表示装置１００の姿勢に基づいて、液晶モニタ１０４および１０５のいずれか一方に表示する情報の表示向きを決定し、他方の情報の表示向きは決定済みの表示向きに合わせるようにしてもよい。
【００６７】
なお、本発明の特徴的な機能を損なわない限り、本発明は、上述した実施の形態における構成に何ら限定されない。
【図面の簡単な説明】
【００６８】
【図１】画像表示装置の一実施の形態の構成を示すブロック図である。
【図２】画像表示装置１００の姿勢が横位置、本画像の向き横向きである場合の液晶モニタ１０４および１０５の表示例を示す図である。
【図３】画像表示装置１００の姿勢が縦位置、本画像の向き縦向きである場合の液晶モニタ１０４および１０５の表示例を示す図である。
【図４】画像表示装置１００の姿勢が横位置、本画像の向き縦向きである場合の液晶モニタ１０４および１０５の表示例を示す図である。
【図５】画像表示装置１００の姿勢が縦位置、本画像の向き横向きである場合の液晶モニタ１０４および１０５の表示例を示す図である。
【図６】画像表示装置１００の処理を示すフローチャート図である。
【図７】変形例における画像表示装置１００の処理を示すフローチャート図である。
【符号の説明】
【００６９】
１００  画像表示装置、１０１  メモリカードスロット、１０２  姿勢センサ、１０３  制御装置、１０３ａ  画像記録部、１０３ｂ  表示制御部、１０３ｃ  タッチパネルコントローラ、１０４、１０５  液晶モニタ、１０６  メモリ
【図１】
2007280029.tif 000003
【図２】
2007280029.tif 000004
【図３】
2007280029.tif 000005
【図４】
2007280029.tif 000006
【図５】
2007280029.tif 000007
【図６】
2007280029.tif 000008
【図７】
2007280029.tif 000009